(57)【要約】【課題】  情報処理装置から出力された映像信号が外部の映像表示装置により表示されるタイミングと、音声信号が外部の音声出力装置により出力されるタイミングとを合わせやすくする。【解決手段】  情報処理装置からテスト映像信号が出力されてからテスト映像信号が入力されるまでの時間差により「映像遅延時間」を算出し、情報処理装置からテスト音声信号が出力されてから外部機器でテスト音声信号が出力されるまでの時間差により「音声遅延時間」を算出する。【選択図】  図１
2009130820.tif 000002
【特許請求の範囲】
【請求項１】
対象物との距離を測る測距手段と、
前記測距離手段により得られた距離情報に基づいて焦点を調節し対象物の光学像を撮像し映像信号を得る撮像手段と、
音声を集音し音声信号を得る集音手段と、
前記映像信号と音声信号とを関連づけて記録媒体に記録する記録手段と、
前記記録媒体から映像信号を再生して第１のタイミングで出力する映像出力手段と、
前記記録媒体から音声信号を再生して第２のタイミングで出力する音声出力手段とを有する情報処理装置であって、
所定の映像信号を映像表示可能な外部装置に出力する映像発生手段と、
前記映像表示可能な外部装置によって表示された前記所定の映像信号に対応する映像を前記撮像手段により撮像したことを検出する映像検出手段と、
前記映像発生手段により前記所定の映像信号が出力されてから前記映像検出手段により前記所定の映像信号に対応する映像を前記撮像手段により撮像したことが検出されるまでの第１の時間を算出する第１の算出手段と、
所定の音声信号を音声出力可能な外部装置に出力する音声発生手段と、
前記音声出力可能な外部装置によって出力された前記所定の音声信号に対応する音声を前記集音手段により集音したことを検出する音声検出手段と、
前記音声発生手段により前記所定の音声信号が出力されてから前記音声検出手段により前記所定の音声信号に対応する音声を前記集音手段により集音したことが検出されるまでの第２の時間を算出し、前記測距手段により得られた対象物との距離に基づいて前記対象物との距離を音声が伝播する第３の時間を算出し、前記第２の時間と前記第３の時間との差を算出する第２の算出手段とを有することを特徴とする情報処理装置。
【請求項２】
前記音声出力手段は、前記第１のタイミングと前記第１の時間と前記第２の時間と前記第３の時間とから、前記音声信号を出力する前記第２のタイミングを変更することを特徴とする請求項１記載の情報処理装置。
【請求項３】
前記映像出力手段は、前記第２のタイミングと前記第１の時間と前記第２の時間と前記第３の時間とから、前記音声信号を出力する前記第１のタイミングを変更することを特徴とする請求項１記載の情報処理装置。
【請求項４】
前記第１の時間と、前記第２の時間と前記第３の時間との差を報知する報知手段を有することを特徴とする請求項１記載の情報処理装置。
【発明の詳細な説明】
【技術分野】
【０００１】
本発明は、情報処理装置に関し、特に映像信号と音声信号とを再生し、出力可能な情報処理装置に関する。
【背景技術】
【０００２】
従来、映像信号と音声信号を再生して出力することができるビデオカメラ等の情報処理装置が知られている。この種の情報処理装置は、外部の映像表示装置であるディスプレイ等に映像信号を出力し、外部の音声出力装置であるスピーカ等に音声信号を出力する事が可能である。しかし、この種の情報処理装置から外部の映像表示装置、音声出力装置に映像信号や音声信号を出力する場合、映像再生装置と音声再生装置が例えば、別々の機器であると、映像の表示されるタイミングと音声の出力されるタイミングとがずれてしまうことがあった。このタイミングのずれは、映像信号や音声信号を処理する工程における各装置の処理能力の差等に起因している。
【０００３】
この様な問題を解決するために、従来の情報処理装置では、ユーザが手動で音声や映像の出力タイミングを変更することができる機能を備えているものがあった（例えば、特許文献１）。
【特許文献１】特開２００１−０４３０６３号公報
【発明の開示】
【発明が解決しようとする課題】
【０００４】
このような情報処理装置において、ユーザの手動操作では映像の表示タイミングと音声の出力タイミングとが合っているか否かの判断をユーザの感覚に頼っていたため、このタイミングを合わせるように補正することは、困難であった。
【０００５】
本発明は、このような問題に鑑みてなされたもので、情報処理装置から出力された映像信号が外部の映像表示装置により表示されるタイミングと、音声信号が外部の音声出力装置により出力されるタイミングとを合わせやすくすることができる情報処理装置を提供することを目的とする。
【課題を解決するための手段】
【０００６】
このような課題を解決するために、本発明の情報処理装置は、対象物との距離を測る測距手段と、前記測距離手段により得られた距離情報に基づいて焦点を調節し対象物の光学像を撮像し映像信号を得る撮像手段と、音声を集音し音声信号を得る集音手段と、前記映像信号と音声信号とを関連づけて記録媒体に記録する記録手段と、前記記録媒体から映像信号を再生して第１のタイミングで出力する映像出力手段と、前記記録媒体から音声信号を再生して第２のタイミングで出力する音声出力手段とを有する情報処理装置であって、所定の映像信号を映像表示可能な外部装置に出力する映像発生手段と、前記映像表示可能な外部装置によって表示された前記所定の映像信号に対応する映像を前記撮像手段により撮像したことを検出する映像検出手段と、前記映像発生手段により前記所定の映像信号が出力されてから前記映像検出手段により前記所定の映像信号に対応する映像を前記撮像手段により撮像したことが検出されるまでの第１の時間を算出する第１の算出手段と、所定の音声信号を音声出力可能な外部装置に出力する音声発生手段と、前記音声出力可能な外部装置によって出力された前記所定の音声信号に対応する音声を前記集音手段により集音したことを検出する音声検出手段と、前記音声発生手段により前記所定の音声信号が出力されてから前記音声検出手段により前記所定の音声信号に対応する音声を前記集音手段により集音したことが検出されるまでの第２の時間を算出し、前記測距手段により得られた対象物との距離に基づいて前記対象物との距離を音声が伝播する第３の時間を算出し、前記第２の時間と前記第３の時間との差を算出する第２の算出手段とを有することを特徴とする。
【発明の効果】
【０００７】
本発明によれば、情報処理装置より出力した映像信号と音声信号が外部の映像表示装置により表示され、音声出力装置により出力されたときに、映像の表示タイミングと音声の出力タイミングとが、ずれてしまう可能性を低減することができる。
【発明を実施するための最良の形態】
【０００８】
以下、図面を参照して本発明の実施例を詳細に説明する。
【実施例１】
【０００９】
映像を撮像し音声を集音することができ、映像信号と音声信号を外部に出力することができる情報処理装置について説明する。
【００１０】
図１は、本実施例のビデオカメラのブロック図である。
【００１１】
図１において、１０１はビデオカメラの各種機能に応じて、各ブロックを制御する制御部である。１０２は、外部からの指示をビデオカメラに入力するための操作部である。操作部１０２は、電源スイッチや、記録モードや再生モードを選択する選択スイッチ、撮影の開始・終了を指示をするボタン等から構成されている。１０３は、制御部１０１からの制御信号や、操作部１０２からの指示信号等が行き来する制御信号バスである。１０４は、各ブロック間の画像データおよび音声データが行き来する画像／音声データバスである。
【００１２】
１０５は、被写体の光学像を取り込む撮影レンズや、光量を制御する絞り、光学像を電気信号に変換する撮像素子等からなる撮像部であり、映像信号や画像信号を入力するものである。１０６は、撮像部１０５から入力された映像信号を適正な信号レベルにし、デジタルデータに変換し、映像記録方式に必要な処理を行う映像処理部である。映像処理部１０６は、映像データや静止画データを生成することができる。また、１０７は、被写体との距離を測り、撮像部１０５に被写体の距離情報を送信する測距部である。撮像部１０５は、測距部１０７からの情報に基づいて、焦点調整などを行う。この測距部１０７は、撮像部１０５の映像から距離を判定するようにしても良い。
【００１３】
１０８は、音声を取り込むマイクロフォンである。１０９は、マイクロフォン１０８により集音された音声を適正なレベルに調整し、得られた音声信号をデジタルデータに変換し、音声記録方式に必要な処理を行い、音声データを得る音声処理部である。
【００１４】
１１０は、記録中は映像処理部１０６から得られた映像データに対応する映像を表示し、再生中は後述の映像再生処理部１１４で再生された映像を表示するほか、各種メニューの表示をすることができる表示部である。１１１は、表示部１１０の表示を制御するための表示制御部である。
【００１５】
１１２は、映像処理部１０６から得られた映像データ、静止画データ、音声処理部１０９から得られた音声データ、その他のデータを必要に応じて関連づけて記録するための記録媒体としてのハードディスク（以後、ＨＤＤ）である。１１３は、ＨＤＤ１１２にアクセスし、上記の映像データ、静止画データ、音声データ、その他のデータ等を読み書きするためのアクセス部である。
【００１６】
１１４は、アクセス部１１３によって読み出されたＨＤＤ１１２の映像データを映像記録方式に従って処理し、所定の形態に変換する映像再生処理部である。１１５は、映像再生処理部１１４で再生された映像信号を外部に出力するための映像端子である。また、映像再生処理部１１４は、映像信号の出力タイミングを調整する機能を有している。この機能は、映像信号をバッファできるメモリ等を設けたり、遅延回路を設けたりすることで実現できる。
【００１７】
１１６は、アクセス部１１３によって読み出されたＨＤＤ１１２の音声データを音声記録方式に従って再生する音声再生処理部である。１１７は、音声再生処理部１１６で再生された音声信号を外部に出力するための音声端子である。また、音声再生処理部１１６は、音声信号の出力タイミングを調整する機能を有している。この機能は、音声信号をバッファできるメモリ等を設けたり、遅延回路を設けたりすることで実現できる。
【００１８】
１１８は、テスト映像信号を出力し、テスト映像を出力したタイミングを示すための映像発生信号とを出力するテスト映像信号発生部である。このテスト映像信号は、そのテスト映像信号に対応する映像が映像表示可能な外部の機器によって表示され、表示されたテスト映像が再びビデオカメラに入力されるまでの時間を計測する為に使用される。１１９は、テスト映像信号発生部１１８により出力されたテスト映像信号に対応する映像が撮像部１０５により撮像されたことにより入力を検知し、その映像が入力されたことを示す映像受信信号を出力するテスト映像信号検知部である。１２０は、テスト映像信号発生部１１８が映像発生信号を出力した時間と、テスト映像信号検知部１１９が映像受信信号を出力した時間との差を算出する映像遅延時間測定部である。映像遅延時間測定部では、テスト映像信号発生部１１８によりテスト映像信号が出力された時間と、テスト映像信号検出部１１９によりテスト映像信号に対応する映像が入力されたと検出された時間とを比較して、時間の差を算出することになる。
【００１９】
１２１は、テスト音声信号を出力し、テスト音声を出力したタイミングを示すための音声発生信号とを出力するテスト音声信号発生部である。このテスト音声信号は、そのテスト音声信号に対応する音声が音声出力可能な外部の機器によって出力され、再びビデオカメラに入力されるまでの時間を計測する為に使用される。１２２は、テスト音声信号発生部１２１により出力されたテスト音声信号に対応する音声が入力されたことを検知し、その音声が入力されたことを示す音声受信信号を出力するテスト信号検知部である。１２３は、テスト音声信号発生部１２１が音声発生信号を出力した時間と、テスト音声信号検知部１２２が音声受信信号を出力した時間との差を算出する音声遅延時間測定部である。音声遅延時間測定部では、テスト音声信号発生部１２１によりテスト音声信号が出力された時間と、テスト音声信号検出部１２２によりテスト音声信号に対応する音声が入力されたと検出された時間とを比較して、時間の差を算出することになる。
【００２０】
１２４は、制御信号を外部に出力する外部出力端子であり、例えば、遅延信号測定部１２３により測定された遅延信号に関する制御信号を外部に出力することができる外部出力端子である。
【００２１】
本実施例では、記憶媒体としてＨＤＤ１１１を用いているが、これは、ハードディスクに限られるものではなく、磁気（あるいは光磁気）記録メディアなどが考えられる。
【００２２】
また、外部接続端子を更に備えても良く、ＨＤＭＩ端子、ＵＳＢ端子、ＩＥＥＥ１３９４等のデジタルデータ入出力可能な端子が考えられる。
【００２３】
まず、本実施例のビデオカメラの動画記録動作について説明する。
操作部１０２の電源スイッチが操作されたことに応じて、ビデオカメラは撮影待機状態になる。この状態で、ユーザが操作部１０２の撮影ボタンを操作することにより、ビデオカメラに動画撮影開始の指示がなされる。この動画撮影開始の指示に応じて、制御部１０１は、撮像部１０５、映像処理部１０６等に撮影開始の指示信号を送信する。
【００２４】
撮影が開始すると、測距部１０７は被写体との距離を計測し、撮像部１０５は計測された距離を元に焦点調整を行う。そして、撮像部１０５の撮影レンズを通って入射した被写体からの光は、絞りにより光量を制御され、撮像素子により電気信号に変換される。該電気信号は、映像処理部１０６で適正な信号レベルに調整され、デジタルデータに変換される。そしてデジタルデータに変換された映像信号は、映像処理部１０６の画素数調整回路等によって適切な画素数に調整され、所定の映像記録方式で圧縮符号化され、映像データとなる。
【００２５】
また、マイクロフォン１０８により取り込まれた音声信号は、音声処理部１０９で適正なレベルに調整され、デジタルデータに変換される。
【００２６】
そして、制御部１０１は、上述の映像データと上述の音声データとを合成しデータストリームを形成し、アクセス部１１３に出力する。アクセス部１１３は、制御部１０１の指示に基づき、ＵＤＦ、ＦＡＴ等のファイルシステム管理のもとに、映像データと音声データのデータストリームを一つの動画ファイルとしてＨＤＤ１１２に書込みはじめる。ファイルシステムとは、ファイルの管理を行うための管理情報とファイルデータからなる構造体系を意味する。このファイルシステムを共通化することによって、異なった記憶媒体あるいは記録再生機器でも記録再生できる。
【００２７】
データストリームは、必要に応じて表示制御部１１１を通して、表示部１１０に表示されることもある。
【００２８】
そして、ユーザが操作部１０２の撮影ボタンを再度操作することにより、ビデオカメラに動画撮影終了の指示がなされたことに応じて、制御部１０１は、撮像部１０５、映像処理部１０６等に撮影終了の指示信号を送信する。
【００２９】
動画撮影終了の指示信号を受信したことに応じて、撮像部１０５、映像処理部１０６は、撮影動作を終了する。アクセス部１１３は、制御部１０１の指示のもと、撮影開始から撮影終了までに記録された一連の映像データと音声データとを一つのファイルとしＨＤＤ１１２に書込み、記録動作を終了する。制御部１０１は、ビデオカメラを撮影待機状態に遷移させる。
【００３０】
次に、本実施例のビデオカメラの通常の再生動作について説明する。
制御部１０１は、操作部１０２の選択スイッチによって再生モードが指定されたことに応じて、ＨＤＤ１１２から映像データや静止画データを読み出すよう、アクセス部１１３を制御する。そして、読み出された映像データや静止画データのサムネイルを並べたサムネイル画面や、映像データや静止画データのファイル名を表示部１１０に表示するよう、表示制御部１１１を制御する。また、最後に撮影した映像データや静止画データ等を表示部１１０に表示するよう、表示制御部１１１を制御してもよい。
【００３１】
そして、サムネイル画面が表示された状態で、ユーザが操作部１０２を操作して、映像データや静止画データを再生する指示をすると、制御部１０１は、各画像データを再生するよう各ブロックを制御する。
【００３２】
映像データを再生する際は、制御部１０１は、操作部１０２からの指示に応じて、ＨＤＤ１１２から読み出したコンテンツデータを制御部１０１で音声データと映像データとを分離する。そして映像データは、映像再生処理部１１４で、復号されている情報量が伸張され、表示制御部１１１によって表示部１１０で映像として表示される。このとき、映像端子１１５からも映像信号を出力するように構成されているので、映像端子１１５を通して接続された映像表示可能な装置が映像を表示することができる。音声データは、音声再生処理部１１６に送信され、復号された情報量が伸張されて、アナログ信号に変換された音声信号が、音声端子１１７から出力される。これにより、音声端子１１７に接続された音声出力可能な装置から、音声が出力されることになる。
【００３３】
通常、外部に映像信号と音声信号とを出力する場合には、ビデオカメラの出力端子から出力される信号のタイミングが合うように、映像信号を出力する第１のタイミングに応じて、音声信号を第２のタイミングで出力するように制御している。
【００３４】
ユーザは、映像出力可能な装置に映像端子１１５、音声出力可能な装置に音声端子１１７を接続した状態で、操作部１０２の選択スイッチを操作し、再生モードを指定する。再生モードが指定されると、制御部１０１は、上述のように再生待機状態に移行するが、この時に、ユーザが更に操作部１０２を操作することにより、さらに遅延時間測定モードに移行することができる。
【００３５】
次に、遅延時間測定モードについて、説明する。遅延時間測定モードでは、制御部１０１は、表示部１１０に、遅延時間測定モードである旨の表示をし、測定スタートボタンの表示等をするように、表示制御部１１１を制御するようにしてもよい。
【００３６】
まず、本実施例のビデオカメラにおいて、映像信号を出力してから、出力した映像信号に対応する映像を映像表示可能な装置が表示するまでの時間を計測する方法について、図１を用いて説明する。ここでは、映像表示可能な装置が映像を表示してから、表示した映像がビデオカメラに到達するまでの時間を０秒に近似している。これは、映像は光速で到達するため、ビデオカメラ撮影範囲内では、略０秒で到達しているからである。
【００３７】
遅延時間測定モードでは、ビデオカメラの映像端子１１５から映像表示可能な装置にテスト映像信号を出力し、映像表示可能な装置によりテスト映像信号に対応する映像を表示させる。そして、映像表示可能な装置により表示されたテスト映像信号に対応する映像を撮像部１０５で撮像する。そして、テスト映像信号出力から、テスト映像信号に対応する映像の撮像までの時間を計測することにより、「映像遅延時間」を測定する。映像表示可能な装置が映像を表示してから、表示した映像がビデオカメラに到達するまでの時間を０秒に近似しているため、この「映像遅延時間」は、映像信号を出力してから、映像表示可能な装置で表示されるまでの時間を示している。
【００３８】
遅延時間測定モードに設定されると、「映像遅延時間」を計測するために制御部１０１は、テスト映像信号発生部１１８や撮像部１０５を待機状態に移行させる。
【００３９】
次に、ユーザが、遅延時間測定を開始するよう、操作部１０２を操作したことに応じて、テスト映像信号発生部１１８は映像端子１１５に、テスト映像信号を出力する。ここでは例えば、急激に輝度が変化するような画像を表示させるためのテスト映像信号を出力する。これは、テスト映像検出部１１９で検出しやすい映像を表示させる為の信号であればどのようなテスト映像信号であっても良い。
【００４０】
このとき、テスト映像信号発生部１１８は、テスト映像信号を出力した時刻を示す、映像発生信号を映像遅延時間測定部１２０に出力する。
【００４１】
映像端子１１５から出力されたテスト映像信号は、映像表示可能な装置によって映像として表示される。
【００４２】
映像表示可能な装置によって表示されたテスト映像信号に対応する映像は、本実施例のビデオカメラに備えられた、撮像部１０５によって再び撮像され、映像信号に変換され、映像処理部で最適な値に調整されてテスト映像検出部１１９に出力される。テスト映像検出部１１９では、撮像部１０５で得られた映像信号がテスト映像信号に対応する映像を映像表示可能な装置によって表示された映像を示す信号であるか否かを検出する。そして、撮像部１０５で得られた映像信号がテスト映像信号に対応する映像を映像表示可能な装置によって表示された映像を示す信号であると検出されたときに、映像受信信号を映像遅延時間測定部１２０に出力する。
【００４３】
以上の工程により、映像遅延時間測定部１２０には、映像発生信号および映像受信信号が入力されていることになり、映像発生信号と映像受信信号の入力された時間の差を算出することで、「映像遅延時間」を求めることができる。
そして、映像遅延時間測定部１２０は、「映像遅延時間」を制御部１０１に送信する。
【００４４】
次に、本実施例のビデオカメラにおいて、音声信号を出力してから、出力した音声信号に対応する音声を音声出力可能な装置が出力するまでの時間を計測する方法について、図１を用いて説明する。この時、ビデオカメラの測距部１０７は、音声出力可能な装置との距離を計測可能な状態に設定されている。
【００４５】
遅延時間測定モードでは、ビデオカメラの音声端子１１７から音声出力可能な装置にテスト音声信号を出力し、音声出力可能な装置によりテスト音声信号に対応する音声を出力させる。そして、音声出力可能な装置により出力されたテスト音声信号に対応する音声をマイクロフォン１０８で受信する。また、ビデオカメラの測距部１０７によって、音声再生装置とビデオカメラとの距離を計測する。次に、テスト音声信号出力から、テスト音声信号に対応する音声の入力までの時間差を計測し、ビデオカメラと音声出力機器との距離を音速で割った時間を引くことで、「音声遅延時間」を測定する。この「音声遅延時間」は、音声信号を出力してから、音声出力可能な装置から出力するまでの時間を示している。
【００４６】
ユーザが、遅延時間測定を開始するよう、操作部１０２を操作したことに応じて、テスト音声信号発生部１２１は音声端子１１７に、テスト音声信号を出力する。テスト音声信号は、例えば、単一周波数の正弦波であるが、テスト音声信号検出部１２２で検出できればよく、楽器の音等でもかまわない。また、外部の音声よりも音声レベルの高い大きい音声が出力されるようにテスト音声信号の波形を変更するようにしても良い。
【００４７】
このとき、テスト信号発生部１２１は、テスト音声信号を出力したタイミングを示す、音声発生信号を音声遅延時間測定部１２３に出力する。
【００４８】
音声端子１１７から出力された音声信号は、音声出力可能な装置によって音声として出力される。
【００４９】
音声出力可能な装置によって再生されたテスト音声信号に対応する音声は、本実施例のビデオカメラに備えられた、マイクロフォン１０８によって再び集音され、音声信号に変換される。
【００５０】
マイクロフォン１０８によって得られた音声信号は、音声処理部１０９で適正なレベルに調整されてテスト音声信号検出部１２２に送信される。テスト信号検出部１２２では、マイクロフォン１０８によって得られた音声信号がテスト音声信号に対応する音声を音声出力可能な装置によって出力された音声を示す信号であるか否かを検出する。例えばテスト音声信号が１ＫＨｚの正弦波であった場合には１ＫＨｚの正弦波を抽出しレベルを判定することでテスト音声信号に対応する音声であるか否かを検出できる。マイクロフォン１０８によって得られた音声信号がテスト音声信号に対応する音声を音声出力可能な装置によって出力された音声を示す信号であると検出されたときに、音声受信信号を音声遅延時間測定部１２３に出力する。
【００５１】
以上の工程により、音声遅延時間測定部１２３には、音声発生信号および音声受信信号が入力されている。
【００５２】
次に、ビデオカメラは測距部１０７を用いて、対象物との距離を測る。つまり、ビデオカメラから音声再生装置までの距離を計測することになる。ビデオカメラから音声再生装置までの距離を音速で割って得られる時間が、音声再生装置で出力された音声が、ビデオカメラに到達するまでの時間である。
【００５３】
従って、音声遅延時間測定部１２３では、音声発生信号と音声受信信号の入力された時間の差から、音声再生装置で出力された音声が、ビデオカメラに到達するまでの時間を引いた時間が、「音声遅延時間」となる。
【００５４】
そして、音声遅延時間測定部１２３は、「音声遅延時間」を示す信号を制御部１０１に送信する。
【００５５】
制御部１０１は、これら「映像遅延時間」と「音声遅延時間」を受信したことにより、遅延時間測定モードから通常の再生モードにビデオカメラのモードを移行する。
【００５６】
そして、映像遅延時間測定部１２０、音声遅延時間測定部１２３により算出された「映像遅延時間」、「音声遅延時間」を報知する。例えば、表示部１１０に表示させても良く、音声端子から「映像遅延時間」、「音声遅延時間」を示す音声信号を出力してもよく、映像端子から「映像遅延時間」、「音声遅延時間」を示す映像信号を出力しても良い。このようにすることで、ユーザがどの程度音声が遅れているのかを知ることができる。
【００５７】
ユーザは、「映像遅延時間」、「音声遅延時間」を確認しながら映像信号と音声信号の出力タイミングを調整することにより、映像の表示タイミングと音声の出力タイミングを合わせることが可能となる。
【００５８】
また、報知しないようにした場合であっても、以下のように自動的に調整するようにしても良い。再生モードにおいて、ＨＤＤ１１２に記録された動画データを再生する際には、映像端子１１５から映像信号を、音声端子１１７から音声信号をそれぞれ出力する。このときに、例えば、「映像遅延時間」が３秒であり「音声遅延時間が」４秒であった場合には、音声再生処理部１１６は、映像信号よりも１秒先に音声信号を出力するようにする。つまり、「映像遅延時間」よりも「音声遅延時間」が大きい時には、「映像遅延時間」と「音声遅延時間」との差時間分だけ、音声信号を先に出力するように音声再生処理部１１６を制御する。また、逆に、「映像遅延時間」よりも「音声遅延時間」が小さいときには、「映像遅延時間」と「音声遅延時間」との差時間分だけ、音声信号を後に出力するよう音声再生処理部１１６を制御する。
【００５９】
さらに、「映像遅延時間」よりも「音声遅延時間」が大きい時には、「映像遅延時間」と「音声遅延時間」との差時間分だけ、映像信号を後に出力するように映像再生処理部１１４を制御するようにしてもよい。また、逆に、「映像遅延時間」よりも「音声遅延時間」が小さいときには、「映像遅延時間」と「音声遅延時間」との差時間分だけ、映像信号を先に出力するよう映像再生処理部１１４を制御するようにしてもよい。
【００６０】
このようにすることで、情報処理装置から出力された映像信号が外部の映像表示装置により表示されるタイミングと、音声信号が外部の音声出力装置により出力されるタイミングとを合わせやすくすることができる。
【００６１】
本実施例では、ビデオカメラで映像信号と音声信号の出力タイミングを調整したが、「映像遅延時間」、「音声遅延時間」に関する信号を外部装置に転送し、テレビおよびスピーカ等の回路で映像の表示と音声の出力のタイミングを調整しても良い。
【００６２】
本実施例では、ビデオカメラで映像信号と音声信号の出力タイミングを調整したが、アクセス部１１３において、「映像遅延時間」、「音声遅延時間」に基づいて、音声信号を再生するタイミングと映像信号を再生するタイミングとを制御してもよい。
【００６３】
また、テスト音声信号は、一度だけの出力ではなく、振幅レベルを異ならせて複数回出力するようにしても良い。この様にすることで、周囲で雑音が発生していたりや、音声出力可能な装置のボリュームが下げられていたりしても、「音声遅延時間」測定に失敗する可能性を低減することができる。
【００６４】
さらに、テスト音声信号を複数回出力する場合、振幅レベルを徐々に大きくすることによって、より音声遅延時間測定を効率的に行うことができる。
【００６５】
本実施例では、「映像遅延時間」と「音声遅延時間」の測定を同時に行っても良い。
【００６６】
（他の実施例）
本発明は、実施例では、動画データを再生し、音声を集音することができる情報処理装置として、ビデオカメラについて説明したが、これ以外の装置でも、動画データを再生し、音声を集音する機能を有する装置であれば適用可能である。
【００６７】
また、本発明の目的は、前述した実施形態の機能を実現するソフトウェアのプログラムコードを記録した記憶媒体を、システム或いは装置に供給することによっても、達成されることは言うまでもない。このとき、供給されたシステム或いは装置のコンピュータ（またはＣＰＵやＭＰＵ）は、記憶媒体に格納されたプログラムコードを読み出し実行する。
【００６８】
この場合、記憶媒体から読み出されたプログラムコード自体が前述した実施形態の機能を実現することになり、プログラムコード自体及びそのプログラムコードを記憶した記憶媒体は本発明を構成することになる。
【００６９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７０】
また、上述のプログラムコードの指示に基づき、コンピュータ上で稼動しているＯＳ（基本システムやオペレーティングシステム）などが処理の一部又は全部を行い、その処理によって前述した実施形態の機能が実現される場合も含まれることは言うまでもない。
【００７１】
さらに、記憶媒体から読み出されたプログラムコードが、コンピュータに挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【図面の簡単な説明】
【００７２】
【図１】実施例１のビデオカメラのブロック図である。
【符号の説明】
【００７３】
１０１  制御部
１０２  操作部
１０３  制御バス
１０４  画像／音声バス
１０５  撮像部
１０６  映像処理部
１０７  測距部
１０８  マイクロフォン
１０９  音声処理部
１１０  表示部
１１１  表示制御部
１１２  ハードディスク
１１３  アクセス部
１１４  映像再生処理部
１１５  映像端子
１１６  音声再生処理部
１１７  音声端子
１１８  テスト映像信号発生部
１１９  テスト映像信号検出部
１２０  映像遅延時間測定部
１２１  テスト音声信号発生部
１２２  テスト音声信号検出部
１２３  音声遅延時間測定部
１２４  外部出力端子
【図１】
2009130820.tif 000003